【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
被写体を撮像する撮像手段と、
前記撮像手段を用いて被写体を連続して撮影する連続撮影制御手段と、
前記連続撮影制御手段により連続撮影された画像データを、該連続撮影制御手段の連続撮影スピードより遅いスピードで表示手段にスロー表示させていくスロー表示制御手段と、
ユーザの操作に応じて記録タイミングを指示する第１の記録指示手段と、
前記第１の記録指示手段により記録タイミングが指示された場合は、該記録が指示されたタイミングで前記スロー表示制御手段により表示されている画像データを記録媒体に記録する第１の記録制御手段と、
を備えたことを特徴とする撮像装置。
【請求項２】
前記連続撮影制御手段により連続撮影された画像データを順次記憶媒体に記憶させていく第２の記憶制御手段と、
前記第２の記憶制御手段により前記記憶媒体に記憶され、前記スロー表示制御手段によりスロー表示される画像データを、前記連続撮影制御手段による連続撮影の時間経過とともに、古い画像データから間引いていく間引き手段と、
を更に備え、
前記スロー表示制御手段は、
前記第２の記憶制御手段により前記記憶媒体に記憶された画像データを順次読み出してスロー表示させていくことを特徴とする請求項１記載の撮像装置。
【請求項３】
前記スロー表示制御手段は、
所定時間の間に前記連続撮影制御手段により連続撮影された画像データをスロー表示させることを特徴とする請求項１又は２記載の撮像装置。
【請求項４】
スロー表示開始を指示する指示手段を更に備え、
前記スロー表示制御手段は、
前記指示手段によりスロー表示の開始が指示されたタイミングに基づく所定時間の間に前記連続撮影制御手段により連続撮影された画像データのスロー表示を開始させることを特徴とする請求項３記載の撮像装置。
【請求項５】
前記スロー表示制御手段は、
前記指示手段によりスロー表示の開始が指示されたタイミング時の一定時間前から前記連続撮影制御手段により撮影された画像データのスロー表示を開始させることを特徴とする請求項４記載の撮像装置。
【請求項６】
前記表示手段は第１の表示領域と第２の表示領域とを有し、
前記スロー表示制御手段によるスロー表示を前記第１の表示領域にて行うと同時に、前記連続撮影制御手段により撮影された画像データのリアルタイムの表示を前記第２の表示領域にて行リアルタイム表示制御手段を更に備えたことを特徴とする請求項１乃至５の何れかに記載の撮像装置。
【請求項７】
前記スロー表示制御手段は、
前記連続撮影された画像データが全てスロー表示された場合は、再び最初からスロー表示させた画像データをスローでリピート表示させることを特徴とする請求項１乃至６の何れかに記載の撮像装置。
【請求項８】
撮像部、表示部、及び、記録媒体を備える撮像装置が有するコンピュータを、
前記撮像部に対し被写体を連続して撮影させる連続撮影手段、
前記連続撮影手段によって連続撮影された画像データを、該連続撮影手段による連続撮影スピードより遅いスピードで前記表示部にスロー表示させていくスロー表示手段、
記録タイミングの指示を検出する記録指示検出手段、
前記記録指示検出手段によって記録タイミングの指示が検出された場合は、該記録が指示されたタイミングで前記スロー表示処理により表示されている画像データを前記記録媒体に記録する記録手段、
として機能させることを特徴とするプログラム。
【手続補正２】
【補正対象書類名】明細書
【補正対象項目名】０００６
【補正方法】変更
【補正の内容】
【０００６】
上記目的達成のため、請求項１記載の発明は、被写体を撮像する撮像手段と、
前記撮像手段を用いて被写体を連続して撮影する連続撮影制御手段と、
前記連続撮影制御手段により連続撮影された画像データを、該連続撮影制御手段の連続撮影スピードより遅いスピードで表示手段にスロー表示させていくスロー表示制御手段と、
ユーザの操作に応じて記録タイミングを指示する第１の記録指示手段と、
前記第１の記録指示手段により記録タイミングが指示された場合は、該記録が指示されたタイミングで前記スロー表示制御手段により表示されている画像データを記録媒体に記録する第１の記録制御手段と、
を備えたことを特徴とする。
【手続補正３】
【補正対象書類名】明細書
【補正対象項目名】０００７
【補正方法】変更
【補正の内容】
【０００７】
また、請求項２記載の発明は、上記請求項１記載の発明において、前記連続撮影制御手段により連続撮影された画像データを順次記憶媒体に記憶させていく第２の記憶制御手段と、
前記第２の記憶制御手段により前記記憶媒体に記憶され、前記スロー表示制御手段によりスロー表示される画像データを、前記連続撮影制御手段による連続撮影の時間経過とともに、古い画像データから間引いていく間引き手段と、
を更に備え、
前記スロー表示制御手段は、
前記第２の記憶制御手段により前記記憶媒体に記憶された画像データを順次読み出してスロー表示させていくことを特徴とする。
【手続補正４】
【補正対象書類名】明細書
【補正対象項目名】０００８
【補正方法】変更
【補正の内容】
【０００８】
また、請求項３記載の発明は、上記請求項１又は２記載の発明において、前記スロー表示制御手段は、
所定時間の間に前記連続撮影制御手段により連続撮影された画像データをスロー表示させることを特徴とする。
【手続補正５】
【補正対象書類名】明細書
【補正対象項目名】０００９
【補正方法】変更
【補正の内容】
【０００９】
また、請求項４記載の発明は、上記請求項３記載の発明において、スロー表示開始を指示する指示手段を更に備え、
前記スロー表示制御手段は、
前記指示手段によりスロー表示の開始が指示されたタイミングに基づく所定時間の間に前記連続撮影制御手段により連続撮影された画像データのスロー表示を開始させることを特徴とする。
【手続補正６】
【補正対象書類名】明細書
【補正対象項目名】００１０
【補正方法】変更
【補正の内容】
【００１０】
また、請求項５記載の発明は、上記請求項４記載の発明において、前記スロー表示制御手段は、
前記指示手段によりスロー表示の開始が指示されたタイミング時の一定時間前から前記連続撮影制御手段により撮影された画像データのスロー表示を開始させることを特徴とする。
【手続補正７】
【補正対象書類名】明細書
【補正対象項目名】００１１
【補正方法】変更
【補正の内容】
【００１１】
また、請求項６記載の発明は、上記請求項１乃至５の何れかに記載の発明において、前記表示手段は第１の表示領域と第２の表示領域とを有し、
前記スロー表示制御手段によるスロー表示を前記第１の表示領域にて行うと同時に、前記連続撮影制御手段により撮影された画像データのリアルタイムの表示を前記第２の表示領域にて行リアルタイム表示制御手段を更に備えたことを特徴とする。
【手続補正８】
【補正対象書類名】明細書
【補正対象項目名】００１２
【補正方法】変更
【補正の内容】
【００１２】
また、請求項７記載の発明は、上記請求項１乃至６の何れかに記載の発明において、前記スロー表示制御手段は、
前記連続撮影された画像データが全てスロー表示された場合は、再び最初からスロー表示させた画像データをスローでリピート表示させることを特徴とする。
【手続補正９】
【補正対象書類名】明細書
【補正対象項目名】００１３
【補正方法】変更
【補正の内容】
【００１３】
また、上記目的達成のため、請求項８記載の発明は、撮像部、表示部、及び、記録媒体を備える撮像装置が有するコンピュータを、
前記撮像部に対し被写体を連続して撮影させる連続撮影手段、
前記連続撮影手段によって連続撮影された画像データを、該連続撮影手段による連続撮影スピードより遅いスピードで前記表示部にスロー表示させていくスロー表示手段、
記録タイミングの指示を検出する記録指示検出手段、
前記記録指示検出手段によって記録タイミングの指示が検出された場合は、該記録が指示されたタイミングで前記スロー表示処理により表示されている画像データを前記記録媒体に記録する記録手段、
として機能させることを特徴とする。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】